(57)【特許請求の範囲】
【請求項１】
交換システムと回線単位の終端を行う網終端装置との間の加入者伝送路に無線区間を含み、無線区間は音声信号を圧縮伝送しており、前記交換システムに接続される無線制御装置とエコーキャンセラ装置のエコーキャンセラを制御するシステムにおけるエコーキャンセラ制御方法であって、
ＴＳ０における空きビットであるＳａビットをエコーキャンセラの制御に利用し、ＴＳ０はマルチフレーム構成をとり、前記Ｓａビットのうち、Ｓａ８を同期ビット、Ｓａ６とＳａ５をエコーキャンセラ制御ビット、Ｓａ４ビットをＥｎａｂｌｅビットとして用い、Ｓａ６とＳａ５には通話チャネル数分のエコーキャンセラ制御情報を設定し、ＴＳ０の当該フレームの当該ＥｎａｂｌｅビットとＳａ６又はＳａ５の当該エコーキャンセラ制御ビットとをＡＮＤ処理して有効情報を取出し、ＴＳ１６に対応する信号フレームフォーマットを用いたチャネルを通話チャネルとして割当てる
ことを特徴とするエコーキャンセラ制御方法。
【請求項２】
前記網終端装置の信号解析部は、所定のタイムスロットに接続される加入者端末が呼接続されたあと、該加入者端末から送出されたトーンを検出し、エコーキャンセラＯＦＦ（又は、ＯＮ）と判断して制御情報を前記無線区間上の信号に乗せ換える第１のステップと、
前記無線制御装置のＳａビット挿入部は、前記乗せ換えられた制御情報を、前記ＴＳ０における前記Ｓａビットのなかの前記タイムスロットに対応させたビットをＯＦＦ（又は、ＯＮ）と設定する第２のステップと、
前記エコーキャンセラ装置のエコーキャンセラ制御部は、前記無線制御装置から送出されてきたマルチフレーム内の前記Ｓａビットを解析し、前記タイムスロットに対応するエコーキャンセラをＯＦＦ（又は、ＯＮ）とする第３のステップとを備える
ことを特徴とする請求項１に記載のエコーキャンセラ制御方法。
【請求項３】
ＩＴＵ−Ｔ勧告Ｇ．７０４におけるリザーブ扱いのスペアビットである前記ＴＳ０のＳａ８、Ｓａ６、Ｓａ５、Ｓａ４を前記エコーキャンセラの制御に利用することを特徴とする請求項１又は２に記載のエコーキャンセラ制御方法。
【請求項４】
請求項１乃至３のいずれかに記載のエコーキャンセラ制御方法を実行可能なプログラムが記録された記憶媒体。
【発明の詳細な説明】
【０００１】
【発明の属する技術分野】
本発明は、エコーキャンセラ制御方法に関し、特に、無線区間の加入者伝送路におけるエコーキャンセラ制御方法に属する。
【０００２】
【従来の技術】
従来、２Ｍｂｉｔ／ｓ伝送路のＴＳ１６（タイムスロット）に対応する信号フレームフォーマットを用い、そのうちの２ビットを使用してエコーキャンセラ装置を制御する方法が開示されている。特開平５−１４９８４号公報には、局間回線を収容する交換システムに於いて、種々の回線処理装置の制御情報パスを共有可能とすることにより、交換システムのハードウェア構成を簡略化し、回線処理装置の設置場所に左右されずに交換システムから回線処理装置の制御を可能とする技術が公開されている。この技術は、局間回線を収容する交換システムで回線上のディジタル回線多重化装置、エコーキャンセラ、Ａ／μ変換器等の種々の回線処理装置を制御する場合において、ＣＣＩＴＴ勧告Ｑ．５０  ＡＮＮＥＸ  Ａに準拠する同一伝送ハイウェイパス上の特定タイムスロット上のビットＡ〜Ｄを用いて制御信号を転送し、前記種々の回線処理装置を同一の伝送ハイウェイパスを用いて統一的に制御するものである。
【０００３】
また、データの有効性を判断する手段として、特開平１０−２００４５０号公報では、受信データを所定回数以上監視した上で有効と判断する方法が開示されている。
【０００４】
特開平１１−２０５８７６号公報には、従来技術と同一ビット数を用いても従来技術よりも多種類の制御信号を送って、従来技術では不可能であった要求に対応することが可能な回線処理装置の制御方式についての技術が公開されている。これは、交換機相互間の局間回線上に配置されたエコーキャンセラ装置、Ａ／ｍ変換装置、ディジタル回線多重化装置等の複数の回線処理装置を制御するための制御情報が、前記局間回線を構成するディジタル多重回線の複数の特定タイムスロットのビットにより伝送され、前記制御情報としてメッセージベースのデータリンクプロトコルが用いられる技術である。
【０００５】
【発明が解決しようとする課題】
しかしながら、従来技術には以下に掲げる問題点があった。
【０００６】
従来技術の２ビットを使用してエコーキャンセラ装置を制御する方法では、エコーキャンセラ装置を制御する際、必ずＴＳ１６相当を用いらなければならない。
【０００７】
また、エコーキャンセラでは、トーンを検出してエコーキャンセラＯＮ／ＯＦＦ制御する技術があるが、加入者端末側からトーンが送出される場合、無線区間上では圧縮信号であり、復元されたトーンを確実に検出できる保証がないため、エコーキャンセラのＯＮ／ＯＦＦ制御ができない場合も想定される。
【０００８】
特開平１０−２００４５０号公報の技術においては、データを複数回読みこまないと有効データと判断できないため、１つのデータを取出すまで時間がかかり、処理が複雑で、しかも処理能力が低下し効率が悪いという問題点があった。
【０００９】
本発明は斯かる問題点を鑑みてなされたものであり、その目的とするところは、ＴＳ１６を用いることなく、ＴＳ０の空きビットを用いて、Ｅｎａｂｌｅビットと制御ビット情報とのＡＮＤ処理をするだけで有効情報を取得することで、ＴＳ１６相当のチャネルを通話チャネルとして割当て、簡潔処理で効率良いビット制御ができるエコーキャンセラ制御方法に関する技術を提供する点にある。
【００１０】
【課題を解決するための手段】
請求項１記載の本発明の要旨は、交換システムと回線単位の終端を行う網終端装置との間の加入者伝送路に無線区間を含み、無線区間は音声信号を圧縮伝送しており、前記交換システムに接続される無線制御装置とエコーキャンセラ装置のエコーキャンセラを制御するシステムにおけるエコーキャンセラ制御方法であって、ＴＳ０における空きビットであるＳａビットをエコーキャンセラの制御に利用し、ＴＳ０はマルチフレーム構成をとり、前記Ｓａビットのうち、Ｓａ８を同期ビット、Ｓａ６とＳａ５をエコーキャンセラ制御ビット、Ｓａ４ビットをＥｎａｂｌｅビットとして用い、Ｓａ６とＳａ５には通話チャネル数分のエコーキャンセラ制御情報を設定し、ＴＳ０の当該フレームの当該ＥｎａｂｌｅビットとＳａ６又はＳａ５の当該エコーキャンセラ制御ビットとをＡＮＤ処理して有効情報を取出し、ＴＳ１６に対応する信号フレームフォーマットを用いたチャネルを通話チャネルとして割当てることを特徴とするエコーキャンセラ制御方法に存する。
請求項２記載の本発明の要旨は、前記網終端装置の信号解析部は、所定のタイムスロットに接続される加入者端末が呼接続されたあと、該加入者端末から送出されたトーンを検出し、エコーキャンセラＯＦＦ（又は、ＯＮ）と判断して制御情報を前記無線区間上の信号に乗せ換える第１のステップと、前記無線制御装置のＳａビット挿入部は、前記乗せ換えられた制御情報を、前記ＴＳ０における前記Ｓａビットのなかの前記タイムスロットに対応させたビットをＯＦＦ（又は、ＯＮ）と設定する第２のステップと、前記エコーキャンセラ装置のエコーキャンセラ制御部は、前記無線制御装置から送出されてきたマルチフレーム内の前記Ｓａビットを解析し、前記タイムスロットに対応するエコーキャンセラをＯＦＦ（又は、ＯＮ）とする第３のステップとを備えることを特徴とする請求項１に記載のエコーキャンセラ制御方法に存する。
請求項３記載の本発明の要旨は、ＩＴＵ−Ｔ勧告Ｇ．７０４におけるリザーブ扱いのスペアビットである前記ＴＳ０のＳａ８、Ｓａ６、Ｓａ５、Ｓａ４を前記エコーキャンセラの制御に利用することを特徴とする請求項１又は２に記載のエコーキャンセラ制御方法に存する。
請求項４記載の本発明の要旨は、請求項１乃至３のいずれかに記載のエコーキャンセラ制御方法を実行可能なプログラムが記録された記憶媒体に存する。
【００１１】
【発明の実施の形態】
以下、本発明の実施の形態を図面に基づいて詳細に説明する。
【００１２】
図１は、本実施の形態に係るエコーキャンセラ制御方法を実行するためのシステムを示す図である。
【００１３】
図１に示すように、本実施の形態に係るエコーキャンセラ制御方法を実行するためのシステムは、交換システム１と、交換システム１に接続されるエコーキャンセラ装置２と、無線制御装置３と、加入者端末５を収容する網終端装置４とで概略構成される。
【００１４】
エコーキャンセラ装置２はエコーキャンセラ制御部２１を備える。無線制御装置３はＳａビット挿入部３１を備える。網終端装置４は信号解析部４１を備える。エコーキャンセラ装置２と無線制御装置３との間は、２Ｍｂｉｔ／ｓ伝送路で結ばれ、データ通信が行われる。
【００１５】
無線制御装置３と網終端装置４間は、公知のＣＤＭＡ方式を採用し、音声信号を圧縮伝送している。
【００１６】
図２は、図１において使用される回線のフレーム構成の一例を示す図である。
【００１７】
図２の（ａ）は、エコーキャンセラ装置２と無線制御装置３との間で通信される２０４８Ｋｂｉｔ／ｓのフレームデータの一例である。図１において使用する回線は、ＴＳ０〜３１（タイムスロット）に分けられ、＃０〜＃１５のフレーム構成をとる。
【００１８】
図２の（ｂ）は、図２の（ａ）におけるＴＳ０のビット定義を示す図である。
【００１９】
図中、Ｓａ４〜Ｓａ８（スペアビット）とＣ１〜４（ＣＲＣ）とＡ（リモートアラーム表示）とＥ（国際使用のスペアビット）との定義が示される。
【００２０】
図３〜５において、本実施の形態に係るエコーキャンセラ制御方法を実行するためのＴＳ０上に定義されるＳａビットを用いた情報伝達方法を示す。
【００２１】
図３は、図２におけるＴＳ０上に定義されるのＳａビットの一例を示す図である。
【００２２】
ＩＴＵ−Ｔ勧告Ｇ．７０４において、リザーブ扱いであるＳａ８、Ｓａ６、Ｓａ５、Ｓａ４（スペアビット）を図３に示す形式に定義し、通話チャネル数分のエコーキャンセラ制御情報をマルチフレーム構成で伝送することを可能としている。
【００２３】
ここで、Ｓａ７（スペアビット）を用いない理由として、Ｖ５．２インタフェースを使用した場合に、Ｓａ７が使用されることを考慮したものである。
【００２４】
網終端装置４の信号解析部４１は、トーンを検出して解析し、エコーキャンセラＯＮ／ＯＦＦを判断して制御情報をメッセージ化し、無線制御装置３のＳａビット挿入部３１により所定時間のＳａ送信を行い、項番Ｔ０〜Ｔ１６までを繰り返す。
【００２５】
エコーキャンセラ装置２のエコーキャンセラ制御部２１は、Ｓａ送信時間内にデータを読み出して解析し、エコーキャンセラを制御している。
【００２６】
また、図３に示すデータ列を用いることにより、どのＴＳ（タイムスロット）がＯＮ／ＯＦＦしているかの区別は、以下の方法によって実現する。
【００２７】
エコーキャンセラ制御部２１は、項番Ｔ０〜Ｔ１６のうち項番（最初の項番）Ｔ０を受信した時点からＳａ８の反転により、受信中のデータがどの項番のデータであるか識別する。
【００２８】
項番Ｔ０の判断は、Ｓａ８＝０が２回続き、Ｓａ５が「１」から「０」へ変わることにより実現できる。もし回線異常により項番（最後の項番）Ｔ１６以外の項番（例えば項番Ｔ２）で次のデータを送信できなくなった場合、Ｓａ８＝０が２回続くが、そのときには、Ｓａ５の変化もないため、通信異常と判断できる。また、項番Ｔ０のＳａ６＝１としているのは、項番Ｔ０の判断により明確にするためである。このようにして項番Ｔ０を判断したあと、Ｓａ８の反転によって項番の識別ができるため、ＴＳの判別が可能となる。
【００２９】
図４は、本実施の形態に係るエコーキャンセラ制御方法におけるＳａビット情報伝達方法のタイムチャートの一例を示す図である。
【００３０】
図４に示すように、Ｓａ８を同期ビット、Ｓａ６、Ｓａ５をエコーキャンセラ制御ビット（データビット）、Ｓａ４をＥｎａｂｌｅビットとしている。Ｓａ４＝０のときＳａ８、Ｓａ６、Ｓａ５を有効とし、エコーキャンセラ制御ビットを変更するときにはＳａ４＝１とする。
【００３１】
図５は、本実施の形態に係るエコーキャンセラ制御方法におけるシーケンスの一例を示す図である。
【００３２】
図５を参照して、ＴＳ１に接続される加入者をモデム通信加入者と仮定し、ＴＳ１に対応するエコーキャンセラを制御する方法を説明する。
【００３３】
当該加入者の加入者端末５が呼接続されたあと、データ通信を開始するときに、加入者端末５のモデムからトーンが送出される。網終端装置４の信号解析部４１では、トーンを検出し、エコーキャンセラＯＦＦと判断して制御情報をメッセージ化する（ステップＳ７１）。
【００３４】
メッセージ化された信号を無線制御装置３のＳａビット挿入部３１にて、ＴＳ０の当該ビットをＯＦＦ（項番Ｔ１のフレームのＳａ６＝０）と設定する（ステップＳ７２）。
【００３５】
エコーキャンセラ装置２のエコーキャンセラ制御部２１で、無線制御装置３から送出されてきたマルチフレーム内のＳａビットを解析し、ＴＳ１に対応するエコーキャンセラをＯＦＦとする（ステップＳ７３）。
【００３６】
以上により、ＴＳ１のモデム通信加入者に対応するエコーキャンセラ装置２をＯＦＦに動作させることができる。
【００３７】
逆に、ＴＳ１に対応するエコーキャンセラをＯＮさせたい場合は、Ｓａビット挿入部３１は項番Ｔ１のフレームのＳａ６＝１と設定する。
【００３８】
他のＴＳ（タイムスロット）に対応するエコーキャンセラ装置２を制御する場合についても同様に、ＴＳ０の当該フレームの当該ビットに値を設定することにより、実現することができる。
【００３９】
以上のように、本実施の形態は、図１における交換システム１と回線単位の終端を行う網終端装置４との間の加入者伝送路に無線区間を含み、無線区間は音声信号を圧縮伝送しており、無線制御装置３とエコーキャンセラ装置２は伝送路で結ばれ、回線処理に加え、エコーキャンセラ装置の制御を必要とするシステムにおいて、エコーキャンセラ装置の制御方法に関するものである。
【００４０】
無線区間では音声信号を圧縮伝送しており、加入者端末側からトーンが送出される場合、復元されたトーンを確実に検出できる保証がないため、網終端装置４内の信号解析部４１にてエコーキャンセラ装置のＯＮ／ＯＦＦを判断し、それをメッセージ化し、制御信号を伝送路上のＴＳ０のビットを用いて伝達し、エコーキャンセラ装置を制御している。
【００４１】
実施の形態に係るエコーキャンセラ制御方法は上記の如く構成されているので、以下に掲げる効果を奏する。
【００４２】
データの有効性を判断する手段としては、データを複数回読みこんだ上でデータを有効と判断する方法が一般的であるが、本実施の形態では、エコーキャンセラ装置２のＯＮ／ＯＦＦを制御する際、図４のＥｎａｂｌｅビットを用いることにより、データ変更時の把握が可能となり、データを複数回読みすることなく、ＥｎａｂｌｅビットとデータのＡＮＤをとり、１回で有効データを取出すことができる。
【００４３】
なお、本実施の形態は、ＴＳ１６を用いているＶ５．２インタフェースにも適用することができる。
【００４４】
また、エコーキャンセラ制御に使用するＴＳ０でリザーブ扱いのＳａ４、Ｓａ５、Ｓａ６、Ｓａ８は、他の目的で使用されていなければ、どのビットを使用しても構わない。（Ｖ５．２インタフェースでは、Ｓａ７を他の目的で使用している。）
更に、ビットの「０／１」指定については反転してもよく、Ｓａ８、Ｓａ６、Ｓａ５、Ｓａ４のどのビットにデータを割りつけても構わない。また、無線区間は、ＣＤＭＡ方式以外でもよい。また、伝送路は、２Ｍｂｉｔ／ｓ以外の伝送速度でもよい。ＴＳ０のマルチフレーム数については、通話チャネル数に準じる。
【００４５】
なお、本実施の形態においては、本発明はそれに限定されず、本発明を適用する上で好適なエコーキャンセラ制御方法に適用することができる。
【００４６】
また、上記構成部材の数、位置、形状等は上記実施の形態に限定されず、本発明を実施する上で好適な数、位置、形状等にすることができる。
【００４７】
なお、各図において、同一構成要素には同一符号を付している。
【００４８】
【発明の効果】
本発明は以上のように構成されているので、以下に掲げる効果を奏する。
【００４９】
エコーキャンセラ装置の制御を必要とするシステムにおいて、伝送路上のＴＳ０のビットを用いてエコーキャンセラ制御信号を伝送することにより、ＴＳ１６相当を通話チャネルとして使用することができ、従来に比べ、通話チャネルを多く割当てることができる。
【００５０】
また、エコーキャンセラ装置のＯＮ／ＯＦＦを制御する際、Ｅｎａｂｌｅビットを用いることにより、Ｅｎａｂｌｅビットと制御ビット情報のＡＮＤをとるだけで、１回で有効情報を取出すことが可能となり、簡潔処理で効率良くビット制御処理を行うことができる。
【図面の簡単な説明】
【図１】本発明の実施の形態に係るエコーキャンセラ制御方法を実行するためのシステムを示す図である。
【図２】図１において使用される回線のフレーム構成の一例を示す図である。
【図３】図２におけるＴＳ０上に定義されるのＳａビットの一例を示す図である。
【図４】本発明の実施の形態に係るエコーキャンセラ制御方法におけるＳａビット情報伝達方法のタイムチャートの一例を示す図である。
【図５】本発明の実施の形態に係るエコーキャンセラ制御方法におけるシーケンスの一例を示す図である。
【符号の説明】
Ａ  リモートアラーム表示
Ｃ１〜４  ＣＲＣ
Ｅ  国際使用のスペアビット
Ｓａ４〜Ｓａ８  スペアビット
ＴＳ０〜３１  タイムスロット
Ｔ０〜Ｔ１６  項番
１  交換システム
２  エコーキャンセラ装置
３  無線制御装置
４  網終端装置
５  加入者端末
２１  エコーキャンセラ制御部
３１  Ｓａビット挿入部
４１  信号解析部
【図１】
0003758536.tif 000002
【図２】
0003758536.tif 000003
【図３】
0003758536.tif 000004
【図４】
0003758536.tif 000005
【図５】
0003758536.tif 000006